(57)【要約】    【課題】      各移動局に対応するパスを的確に検出し、復調精度を向上させること。    【解決手段】  遅延プロファイルを単位ミッドアンブルシフト量Ｗに対応したユーザ窓に区切り、各ユーザ窓を前後ｔチップ分拡大し、さらに拡大した窓の前半分を先行窓、後半分を後方窓として、各先行窓及び各後方窓に現れる所定値以上のピークを当該窓に対応するユーザから送信された信号のパスとして検出する。先行窓で検出されたパス位置での逆拡散対象を先行波の第１データ部先頭の１シンボルとし、後方窓で検出されたパス位置での逆拡散対象を遅延波の第２データ部最後尾の１シンボルとする。そして、第１データ部及び第２データ部の各１シンボル分の逆拡散結果から算出したチップ当たりのパワＰｓと、遅延プロファイルにおけるピークの相関値パワから算出したチップ当たりのパワＰｄとの比率Ｐｓ／Ｐｄを所定の閾値と比較することにより、有効なパスか否かを判定する。  【選択図】      図３
2005311914.tif 000002
【特許請求の範囲】
【請求項１】
セル固有のベーシックミッドアンブルコードを単位シフト量ずつ巡回シフトして形成した各移動局固有のミッドアンブルコードをミッドアンブル部として、ミッドアンブル部が同一時間に多重された信号を通信相手から受信する無線受信装置であって、
受信信号に含まれる前記複数のミッドアンブル部と、予め用意された前記セル固有のベーシックミッドアンブルコードを巡回シフトしながら相関をとることにより、遅延プロファイルを生成する遅延プロファイル生成手段と、
前記ベーシックミッドアンブルコードの単位シフト量に対応する窓幅を有するユーザ窓で前記遅延プロファイルを区切って、各ユーザ窓に現れた所定値以上のピークを通信相手から送信された信号のパスとして当該パスの位置を検出するパス位置検出手段と、
前記ミッドアンブル部を挟んで時分割多重された第１データ部と第２データ部のうち、前記ユーザ窓に現れたパス位置に応じた所定の部位を、前記ユーザ窓に対応するユーザに割り当てられたチャネライゼーションコードを用いて前記パス位置で逆拡散する逆拡散手段と、
逆拡散されたデータシンボルのパワに基づいて、当該データ部を逆拡散したパスを有効なパスか否か判定する判定手段と、
を具備することを特徴とする無線受信装置。
【請求項２】
前記パス位置検出手段は、
各ユーザ窓の窓幅を前後に所定チップ分拡大した窓に現れた所定値以上のピークを通信相手から送信された信号のパスとして当該パスの位置を検出する
ことを特徴とする請求項１に記載の無線受信装置。
【請求項３】
前記パス位置検出手段は、
各ユーザ窓の前半分を先行窓とし、後半分を後方窓として、前記先行窓及び前記後方窓に現れた所定値以上のピークを通信相手から送信された信号のパスとして当該パスの位置を検出する
ことを特徴とする請求項１又は請求項２に記載の無線受信装置。
【請求項４】
前記逆拡散手段は、
前記先行窓で検出されたパス位置で逆拡散する対象を前記第１データ部先頭とし、前記後方窓で検出されたパス位置で逆拡散する対象を前記第２データ部最後尾とする
ことを特徴とする請求項３に記載の無線受信装置。
【請求項５】
前記逆拡散手段は、
前記先行窓で検出されたパス位置で逆拡散する対象を前記第１データ部先頭及び前記第２データ部先頭とし、前記後方窓で検出されたパス位置で逆拡散する対象を前記第１データ部最後尾及び前記第２データ部最後尾とする
ことを特徴とする請求項３に記載の無線受信装置。
【請求項６】
前記受信信号の受信品質を測定する受信品質測定手段を具備し、
前記逆拡散手段は、
前記受信品質が所定値以上であれば、前記先行窓で検出されたパス位置で逆拡散する対象を前記第１データ部先頭とし、前記後方窓で検出されたパス位置で逆拡散する対象を前記第２データ部最後尾とし、前記受信品質が所定値未満であれば、前記先行窓で検出されたパス位置で逆拡散する対象を前記第１データ部先頭及び前記第２データ部先頭とし、前記後方窓で検出されたパス位置で逆拡散する対象を前記第１データ部最後尾及び前記第２データ部最後尾とする
ことを特徴とする請求項３に記載の無線受信装置。
【請求項７】
前記遅延プロファイルのピークのパワと、前記逆拡散されたデータ部のパワとのパワ比率を算出するパワ比率算出手段を具備し、
前記判定手段は、
前記パワ比率が所定値以上であれば、当該データ部を逆拡散したパス位置におけるパスを有効なパスと判定する
ことを特徴とする請求項１から請求項６のいずれかに記載の無線受信装置。
【請求項８】
前記判定手段は、
ユーザ窓の窓幅がデータ部の拡散符号長の２倍以上ある場合は、前記先行窓と前記後方窓との境界の前後所定チップ分の領域で検出されたパスを無条件に有効なパスと判定する
ことを特徴とする請求項３から請求項７のいずれかに記載の無線受信装置。
【請求項９】
前記判定手段は、
隣接するユーザ窓との境界付近で検出されたパス位置で、一方のユーザ窓に対応するユーザに割り当てられたチャネライゼーションコードを用いて逆拡散したデータ部のパワと、他方のユーザ窓に対応するユーザに割り当てられたチャネライゼーションコードを用いて逆拡散したデータ部のパワとの大小比較を行い、大きいパワが得られたユーザのパスを有効と判定する
ことを特徴とする請求項１から請求項８のいずれかに記載の無線受信装置。
【請求項１０】
前記判定手段は、
隣接するユーザ窓の境界付近で検出されたパス位置で、一方のユーザ窓に対応するユーザに割り当てられたチャネライゼーションコードを用いて逆拡散したデータ部のパワと、他方のユーザ窓に対応するユーザに割り当てられたチャネライゼーションコードを用いて逆拡散したデータ部のパワとが、いずれも所定値未満となり前記パスが無効なパスと判定された場合、双方のパワの大小比較を行い、大きいパワが得られたユーザのパスを有効と判定する
ことを特徴とする請求項１から請求項９のいずれかに記載の無線受信装置。
【請求項１１】
前記判定手段は、
データ部を逆拡散したパス位置におけるパスを、逆拡散されたデータ部のパワに応じた重みで有効なパスか否かを示す
ことを特徴とする請求項１から請求項８のいずれかに記載の無線受信装置。
【請求項１２】
請求項１から請求項１１のいずれかに記載の無線受信装置を具備することを特徴とする基地局装置。
【請求項１３】
請求項１から請求項１１のいずれかに記載の無線受信装置を具備することを特徴とする移動局装置。
【請求項１４】
セル固有のベーシックミッドアンブルコードを単位シフト量ずつ巡回シフトして形成した各移動局固有のミッドアンブルコードをミッドアンブル部として、ミッドアンブル部が同一時間に多重された信号を通信相手から受信する無線受信方法であって、
受信信号に含まれる前記複数のミッドアンブル部と、予め用意された前記セル固有のベーシックミッドアンブルコードを巡回シフトしながら相関をとることにより、遅延プロファイルを生成する遅延プロファイル生成工程と、
前記ベーシックミッドアンブルコードの単位シフト量に対応する窓幅を有するユーザ窓で前記遅延プロファイルを区切って、各ユーザ窓に現れた所定値以上のピークを通信相手から送信された信号のパスとして当該パスの位置を検出するパス位置検出工程と、
前記ミッドアンブル部を挟んで時分割多重された第１データ部と第２データ部のうち、前記ユーザ窓に現れたパス位置に応じた所定の部位を、前記ユーザ窓に対応するユーザに割り当てられたチャネライゼーションコードを用いて前記パス位置で逆拡散する逆拡散工程と、
逆拡散されたデータシンボルのパワに基づいて、当該データ部を逆拡散したパスを有効なパスか否か判定する判定工程と、
具備することを特徴とする無線受信方法。
【発明の詳細な説明】
【技術分野】
【０００１】
本発明は、パス検出を行う無線受信装置及び無線受信方法に関し、例えば、パス検出結果に基づいて受信信号から干渉成分を除去する基地局装置に適用して好適なものである。
【背景技術】
【０００２】
一般に、ディジタル移動体通信システムでは、各移動局から送信された信号を受信する基地局において、ある移動局からの信号を復調する際、その信号には他の移動局からの信号が干渉成分として重畳されているため、この干渉成分を除去する必要があり、基地局には干渉除去装置が設けられている。特許文献１には、干渉を除去して復調を行う移動局について記載されている。
【０００３】
図１５に、干渉除去装置を備えた基地局を含む移動体通信システムの様子を示す。図１５に示す移動体通信システムにおいて、基地局ＢＳは、セルＣＬ内に存在するＫ個の移動局（図１５では、移動局＃１及び移動局＃Ｋのみが示されている）と無線通信を行う。この移動体通信システムでは、ＴＤＤ（Time Division Duplex）方式の通信方式が用いられているものとする。
【０００４】
図１６は、ＴＤ−ＳＣＤＭＡ方式のフレームフォーマット及びスロットフォーマットの構成を示す図である。この図が示すように、１フレームが２つのサブフレームから形成され、１サブフレームが７つのスロットと、ガードピリオド（以下、「ＧＰ」という）及びＳＹＮＣ−ＤＬコードが格納されるＤｗＰＴＳと、ＳＹＮＣ−ＵＬコード及びＧＰが格納されるＵｐＰＴＳとで形成されている。なお、ＤｗＰＴＳとＵｐＰＴＳとの間には、ＧＰが挿入されている。ここで、ＳＹＮＣ−ＤＬコード及びＳＹＮＣ−ＵＬコードとは、基地局と移動局との同期獲得のための下り回線用同期コード及び上り回線用同期コードである。
【０００５】
スロット＃０は下り回線に、スロット＃１〜＃６は上下回線にフレキシブルに割り当てることができる。この図では、スロット＃０及びスロット＃２〜＃６が下り回線に割り当てられており、基地局はこれらのスロットを用いて移動局に向けた送信を行う様子を示している。一方、スロット♯１は上り回線に割り当てられており、移動局はこのスロットを用いて基地局に向けた送信を行う様子を示している。
【０００６】
この上りスロット＃１では、各移動局に固有の拡散符号（チャネライゼーションコード）により拡散された情報信号（図中のデータ部）の間に各移動局に固有のミッドアンブルコード（図中ミッドアンブル部）を挿入した信号がユーザ数分多重され、隣接する下りスロット＃２との衝突を防ぐためにガードピリオド（ＧＰ）が設けられている。このミッドアンブルコードは、各移動局のチャネル推定を行う際に用いられる。
【０００７】
次に、各移動局に固有のミッドアンブルコードの生成について、図１７を参照して説明する。図１７は、基地局ＢＳによるミッドアンブルコードの生成方法を示す模式図である。
【０００８】
まず、コード長がＰであるベーシックミッドアンブルコードｍｐが用意される。図１７では、ベーシックミッドアンブルコードｍｐを２コード連結させた場合を示している。このベーシックミッドアンブルコードｍｐはセルＣＬに固有のコードであり、セルＣＬ内の全ての移動局＃１〜＃Ｋにとって既知のコードである。
【０００９】
次に、移動局＃１〜＃Ｋに対して先頭チップ位置が指定される。具体的には、移動局＃１に対しては、基準位置から（Ｋ−１）×Ｗチップずらした位置が先頭チップ位置として指定される。ここで、Ｋ（Ｋｃｅｌｌとも表記する）はベーシックミッドアンブルコードから生成されるミッドアンブルコードの個数を表し、Ｗはシフト量を表す。以下Ｗを単位ミッドアンブルシフト量と呼ぶ。移動局＃２に対しては、基準位置から（Ｋ−２）×Ｗチップずらした位置が先頭チップ位置として指定される。このように、各移動局に指定される先頭チップ位置はＷチップだけずらした位置が与えられる。すなわち、移動局＃Ｋに対しては、基準位置が先頭チップ位置として指定される。
【００１０】
最後に、ベーシックミッドアンブルコードを移動局毎に先頭チップ位置からＬｍチップ分切り出すことによりミッドアンブルコードが形成される。これにより、各移動局＃１〜＃Ｋそれぞれについて、ミッドアンブルシフト量の異なる固有のミッドアンブルコードが生成される。実際には、セル固有のベーシックミッドアンブルコードを単位シフト量ずつ巡回シフトして形成される。
【００１１】
再度、図１５を参照すると、各移動局は、上述したような固有のミッドアンブルコードを同一スロットで多重して、セルＣＬ内の基地局ＢＳに対して送信する。
【００１２】
一方、基地局ＢＳは、受信信号と予め用意されたセル固有の上記ベーシックミッドアンブルコードｍｐとを用いて相関演算を行うことにより、全移動局＃１〜＃Ｋからの送信信号について、図１８（ａ）に示すような遅延プロファイルを生成する。
【００１３】
ここで、この遅延プロファイルを、ベーシックミッドアンブルコードの単位シフト量Ｗに対応する検出窓（図１８におけるＷ）に区切ると、各検出窓Ｗ内には各移動局から送信された信号のパスに相当するピークが現れる。つまり、各移動局のミッドアンブルコードは単位ミッドアンブルシフト量Ｗずつずらされているので、ベーシックミッドアンブルコードｍｐを巡回シフトして相関演算することにより各移動局（図中ユーザ♯１〜ユーザ♯Ｋ）についての遅延プロファイルが時系列的にそれぞれ検出窓Ｗ内に収まって現れる。
【００１４】
次に、基地局ＢＳは、チャネル推定精度の向上及び演算量の削減を図るために、生成された遅延プロファイルに対するパス限定処理を行う。具体的には、基地局ＢＳは、生成された遅延プロファイルにおいて、存在する全てのパスのうちピークの大きさが閾値以下であるパスを除去することにより、図１８（ｂ）に示すような遅延プロファイルを形成する。
【００１５】
これにより、基地局ＢＳは、パス限定後の遅延プロファイルのうち、各検出窓内の遅延プロファイルに現れるパスを各移動局から送信された信号のパスとして認識する。すなわち、図中左端の検出窓内の遅延プロファイルに現れるパスをユーザ♯１から送信された信号のパスとして認識する。また左から２番目の検出窓内の遅延プロファイルに現れるパスをユーザ♯２から送信された信号のパスとして認識する。同様に右端の検出窓内の遅延プロファイルに現れるパスをユーザ♯Ｋから送信された信号のパスとして認識する。このように、各検出窓で検出するパスはユーザ毎に決まっているので、以下、ユーザ＃１〜＃Ｋから送信された信号のパスを検出する検出窓をそれぞれユーザ窓＃１〜＃Ｋと称することとする。
【００１６】
次に、基地局ＢＳは、全受信信号のチャネル推定値と、全移動局＃１〜＃Ｋ（ユーザ♯１〜♯Ｋ）に割り当てられた拡散符号とを用いて、既知の技術であるジョイントディテクション処理を行うことにより、受信信号から干渉成分を除去する。
【００１７】
なお、このようなミッドアンブルコードを用いる移動体通信システムでは、図１５に示す各移動局を識別する元となる単位ミッドアンブルシフト量Ｗの長さが、３ＧＰＰ仕様ＴＳ２５．２２１  Ｖ４．７．０において次のように規定されている。
【００１８】
まず、上述したベーシックミッドアンブルコードの長さをＰ［ｃｈｉｐ］とし、ベーシックミッドアンブルコードから生成されるミッドアンブルコードの個数をＫcellとすると、単位ミッドアンブルシフト量Ｗ［ｃｈｉｐ］は以下の式（１）で表される。
【００１９】
【数１】
2005311914.tif 000003
式（１）は、ベーシックミッドアンブルコードＰをミッドアンブルコードの個数Ｋcellで除算した値を越えない最大の整数が単位ミッドアンブルシフト量Ｗとなることを示している。このようにして求められる単位ミッドアンブルシフト量Ｗの長さは、各移動局＃１〜＃Ｋからの送信信号についての最大遅延時間に対応する長さより大きくなるように設定される。なお、最大遅延時間とは、基地局ＢＳが送信した信号が移動局に到達するまでの時間に相当し、セルＣＬの半径に基づいて決まる時間である。例えば、図１５を参照するに、移動局＃１からの信号は、パスＡを介して基地局ＢＳに到達する時間のみならず、パスＢを介して（図ではセルＣＬの端の反射体で反射すると仮定する）基地局ＢＳに到達する時間も考慮されている。
【特許文献１】特開２００２−１１１５４２号公報
【発明の開示】
【発明が解決しようとする課題】
【００２０】
しかしながら、移動体通信システムにおいては、遅延時間が単位ミッドアンブルシフト量Ｗに対応する時間を越えるパスが発生する可能性がある。上記特許文献１に記載の技術では、遅延時間が単位ミッドアンブルシフト量Ｗを越えた場合、各移動局からの信号についての的確なパス検出処理が困難となり、基地局における干渉除去処理により得られる信号の品質が劣化することになる。
【００２１】
以下、移動局＃２（以下、ユーザ♯２と記載する）に着目しつつ、図１９を参照して具体的に説明する。図１９は、基地局ＢＳで生成されるパス限定後の遅延プロファイルを示す。この図では、ユーザ窓＃１〜＃３を示しており、ユーザ窓＃１〜＃３の窓幅を単位ミッドアンブルシフト量Ｗに対応する区切りとする。
【００２２】
図１９（ａ）では、ユーザ＃３が誤制御により送信タイミングを早めてしまった場合などの理由により、ユーザ♯３からの信号のパスＰ３がユーザ窓＃３内に現れるのではなく、ユーザ窓＃２内に現れる。
【００２３】
また、図１９（ｂ）では、ユーザ♯１からの信号が最大遅延時間を超える遅延が生じた場合、そのパスＰ１はユーザ窓＃１内に現れるのではなく、ユーザ窓＃２内に現れる。
【００２４】
この結果、図１９（ａ）の場合、基地局はユーザ＃３のパスＰ３をユーザ＃２のパスであるとして誤認識してしまう。同様に、図１９（ｂ）の場合、基地局はユーザ＃１のパスＰ１をユーザ＃２のパスであるとして誤認識してしまう。
【００２５】
この後、基地局は、このような誤認識されたパス情報に基づいて干渉除去のための方程式を解くことになるので、干渉除去を良好に行うことができない。よって、干渉除去処理により得られる信号の品質が劣化することになる。
【００２６】
加えて、基地局ＢＳにおいて、１つの送信用のタイムスロットに、より多くの移動局を割り当てる場合、すなわち同一時間により多くの移動局に対して送信する場合には、単位ミッドアンブルシフト量Ｗの長さをより短くする必要がある。このような場合には、遅延時間が単位ミッドアンブルシフト量Ｗを越えるパスが発生する可能性がさらに高くなるので、各移動局における干渉除去能力がさらに低下することになる。
【００２７】
本発明は、かかる点に鑑みてなされたものであり、各移動局に対応するパスを的確に検出し、復調精度を向上させる無線受信装置及び無線受信方法を提供することを目的とする。
【課題を解決するための手段】
【００２８】
本発明の無線受信装置は、セル固有のベーシックミッドアンブルコードを単位シフト量ずつ巡回シフトして形成した各移動局固有のミッドアンブルコードをミッドアンブル部として、ミッドアンブル部が同一時間に多重された信号を通信相手から受信する無線受信装置であって、受信信号に含まれる前記複数のミッドアンブル部と、予め用意された前記セル固有のベーシックミッドアンブルコードを巡回シフトしながら相関をとることにより、遅延プロファイルを生成する遅延プロファイル生成手段と、前記ベーシックミッドアンブルコードの単位シフト量に対応する窓幅を有するユーザ窓で前記遅延プロファイルを区切って、各ユーザ窓に現れた所定値以上のピークを通信相手から送信された信号のパスとして当該パスの位置を検出するパス位置検出手段と、前記ミッドアンブル部を挟んで時分割多重された第１データ部と第２データ部のうち、前記ユーザ窓に現れたパス位置に応じた所定の部位を、前記ユーザ窓に対応するユーザに割り当てられたチャネライゼーションコードを用いて前記パス位置で逆拡散する逆拡散手段と、逆拡散されたデータシンボルのパワに基づいて、当該データ部を逆拡散したパスを有効なパスか否か判定する判定手段と、を具備する構成を採る。
【００２９】
この構成によれば、ミッドアンブル部を挟んで時分割多重された第１データ部と第２データ部のうち、ユーザ窓に現れたパス位置に応じた所定の部位を、ユーザ窓に対応するユーザに割り当てられたチャネライゼーションコードを用いて前記パス位置で逆拡散し、逆拡散したデータシンボルのパワに基づいて、当該データ部を逆拡散したパスが有効なパスか否か判定することにより、各パスのユーザ判定を精度よく行うことができ、ユーザ判定の対象とするユーザのパスであるか対応するユーザ窓を越えて現れたパス（以下、「窓越えしたパス」という）であるか判別することができる。
【００３０】
本発明の無線受信装置は、上記構成において、前記パス位置検出手段が、各ユーザ窓の窓幅を前後に所定チップ分拡大した窓に現れた所定値以上のピークを通信相手から送信された信号のパスとして当該パスの位置を検出する構成を採る。
【００３１】
この構成によれば、各ユーザ窓の窓幅を前後に所定チップ分拡大した窓に現れた所定値以上のピークを通信相手から送信された信号のパスとして当該パスの位置を検出し、検出したパス位置におけるパスが有効なパスか否か判定することにより、ユーザ窓の境界付近のパスは、窓越えしたパスである可能性が高く、ユーザ判定の対象とするユーザ窓に対応するパスであるか隣接するユーザ窓に対応するパスであるか確認することができる。
【００３２】
本発明の無線受信装置は、上記構成において、前記パス位置検出手段が、各ユーザ窓の前半分を先行窓とし、後半分を後方窓として、前記先行窓及び前記後方窓に現れた所定値以上のピークを通信相手から送信された信号のパスとして当該パスの位置を検出する構成を採る。
【００３３】
この構成によれば、各ユーザ窓の前半分を先行窓とし、後半分を後方窓として、先行窓及び後方窓で検出されたパス位置に応じて第１データ部と第２データ部の所定の部位を逆拡散することにより、例えば、一つのユーザ窓にデータ部の拡散符号長と等しいずれの先行波と遅延波のパスが現れたとき、先行波と遅延波は互いに符号間で大きな干渉を及ぼし合うが、各パスのユーザ判定を精度よく行うことができ、ユーザ判定の対象とするユーザのパスであるか窓越えしたパスであるか判別することができる。
【００３４】
本発明の無線受信装置は、上記構成において、前記逆拡散手段が、前記先行窓で検出されたパス位置で逆拡散する対象を前記第１データ部先頭とし、前記後方窓で検出されたパス位置で逆拡散する対象を前記第２データ部最後尾とする構成を採る。
【００３５】
この構成によれば、先行窓で検出されたパス位置で逆拡散する対象を第１データ部先頭とし、後方窓で検出されたパス位置で逆拡散する対象を第２データ部最後尾とすることにより、例えば、一つのユーザ窓にデータ部の拡散符号長と等しいずれの先行波と遅延波のパスが現れたとき、先行波と遅延波は互いに符号間で大きな干渉を及ぼし合うが、先行波の第１データ部先頭と干渉を及ぼし合う遅延波の信号はなく、また、遅延波の第２データ部最後尾と干渉を及ぼし合う先行波の信号はないので、各パスのユーザ判定を精度よく行うことができ、ユーザ判定の対象とするユーザのパスであるか窓越えしたパスであるか判別することができる。
【００３６】
本発明の無線受信装置は、上記構成において、前記逆拡散手段が、前記先行窓で検出されたパス位置で逆拡散する対象を前記第１データ部先頭及び前記第２データ部先頭とし、前記後方窓で検出されたパス位置で逆拡散する対象を前記第１データ部最後尾及び前記第２データ部最後尾とする構成を採る。
【００３７】
この構成によれば、先行窓で検出されたパス位置で逆拡散する対象を第１及び第２データ部の各先頭とし、後方窓で検出されたパス位置で逆拡散する対象を第１及び第２データ部の各最後尾とすることにより、シンボル利得が向上し、ノイズの影響を低減することができるため、ユーザ判定を精度よく行うことができる。
【００３８】
本発明の無線受信装置は、上記構成において、前記受信信号の受信品質を測定する受信品質測定手段を具備し、前記逆拡散手段は、前記受信品質が所定値以上であれば、前記先行窓で検出されたパス位置で逆拡散する対象を前記第１データ部先頭とし、前記後方窓で検出されたパス位置で逆拡散する対象を前記第２データ部最後尾とし、前記受信品質が所定値未満であれば、前記先行窓で検出されたパス位置で逆拡散する対象を前記第１データ部先頭及び前記第２データ部先頭とし、前記後方窓で検出されたパス位置で逆拡散する対象を前記第１データ部最後尾及び前記第２データ部最後尾とする構成を採る。
【００３９】
この構成によれば、受信品質が所定値以上であれば、逆拡散対象を第１データ部先頭及び第２データ部最後尾とし、受信品質が所定値未満であれば、逆拡散対象を第１及び第２データ部の各先頭と、第１及び第２データ部の各最後尾とすることにより、受信品質が悪い場合でも、各パスのユーザ判定を精度よく行うことができ、ユーザ判定の対象とするユーザのパスであるか窓越えしたパスであるか判別することができる。
【００４０】
本発明の無線受信装置は、上記構成において、前記遅延プロファイルのピークのパワと、前記逆拡散されたデータ部のパワとのパワ比率を算出するパワ比率算出手段を具備し、前記判定手段は、前記パワ比率が所定値以上であれば、当該データ部を逆拡散したパス位置におけるパスを有効なパスと判定する構成を採る。
【００４１】
この構成によれば、遅延プロファイルのピークのパワと、逆拡散されたデータ部のパワとのパワ比率を算出することにより、受信状態の影響を除いたパワ比率で表すことができ、所定の閾値との比較を正確に行うことができるので、各パスのユーザ判定を精度よく行うことができる。
【００４２】
本発明の無線受信装置は、上記構成において、前記判定手段が、ユーザ窓の窓幅がデータ部の拡散符号長の２倍以上ある場合は、前記先行窓と前記後方窓との境界の前後所定チップ分の領域で検出されたパスを無条件に有効なパスと判定する構成を採る。
【００４３】
この構成によれば、ユーザ窓の窓幅がデータ部の拡散符号長の２倍以上ある場合は、前記先行窓と前記後方窓との境界の前後所定チップ分の領域で検出されたパスを無条件に有効なパスと判定することにより、先行窓及び後方窓でユーザ判定するパスが拡散符号長分のずれがある先行波と遅延波のパスが現れることがなくなり、各パスのユーザ判定を精度よく行うことができ、ユーザ判定の対象とするユーザのパスであるか窓越えしたパスであるか判別することができる。
【００４４】
本発明の無線受信装置は、上記構成において、前記判定手段が、隣接するユーザ窓との境界付近で検出されたパス位置で、一方のユーザ窓に対応するユーザに割り当てられたチャネライゼーションコードを用いて逆拡散したデータ部のパワと、他方のユーザ窓に対応するユーザに割り当てられたチャネライゼーションコードを用いて逆拡散したデータ部のパワとの大小比較を行い、大きいパワが得られたユーザのパスを有効と判定する構成を採る。
【００４５】
本発明の無線受信装置は、上記構成において、前記判定手段が、隣接するユーザ窓の境界付近で検出されたパス位置で、一方のユーザ窓に対応するユーザに割り当てられたチャネライゼーションコードを用いて逆拡散したデータ部のパワと、他方のユーザ窓に対応するユーザに割り当てられたチャネライゼーションコードを用いて逆拡散したデータ部のパワとが、いずれも所定値未満となり前記パスが無効なパスと判定された場合、双方のパワの大小比較を行い、大きいパワが得られたユーザのパスを有効と判定する構成を採る。
【００４６】
これらの構成によれば、隣接するユーザ窓との境界付近で検出されたパス位置におけるパスは、窓越えしたパスである可能性が高いので、一方のユーザ窓に対応するチャネライゼーションコードを用いて逆拡散したデータ部のパワと、他方のユーザ窓に対応するチャネライゼーションコードを用いて逆拡散したデータ部のパワとの大小比較を行い、大きいパワが得られたユーザのパスを有効と判定することにより、窓越えしたパスであっても確実にユーザ判定することができる。
【００４７】
本発明の無線受信装置は、上記構成において、前記判定手段が、データ部を逆拡散したパス位置におけるパスを、逆拡散されたデータ部のパワに応じた重みで有効なパスか否かを示す構成を採る。
【００４８】
この構成によれば、データ部を逆拡散したパス位置におけるパスを、逆拡散されたデータ部のパワに応じた重みで有効なパスか否かを示すことにより、重み付けを反映してパス毎に逆拡散したデータ部の信号をＲＡＫＥ合成したり、ＪＤにおける畳み込み処理において、重み付けを反映したパスを用いたりすれば、復調精度を向上させることができる。
【００４９】
本発明の基地局装置は、上記いずれかの無線受信装置を具備する構成を採る。また、本発明の移動局装置は、上記いずれかの無線受信装置を具備する構成を採る。
【００５０】
これらの構成によれば、ミッドアンブル部を挟んで時分割多重された第１データ部と第２データ部のうち、ユーザ窓に現れたパス位置に応じた所定の部位を、ユーザ窓に対応するユーザに割り当てられたチャネライゼーションコードを用いて前記パス位置で逆拡散し、逆拡散したデータ部のパワに基づいて、当該データ部を逆拡散したパス位置におけるパスが有効なパスか否か判定することにより、各パスのユーザ判定を精度よく行うことができ、ユーザ判定の対象とするユーザのパスであるか窓越えしたパスであるか判別することができる。
【００５１】
本発明の無線受信方法は、セル固有のベーシックミッドアンブルコードを単位シフト量ずつ巡回シフトして形成した各移動局固有のミッドアンブルコードをミッドアンブル部として、ミッドアンブル部が同一時間に多重された信号を通信相手から受信する無線受信方法であって、受信信号に含まれる前記複数のミッドアンブル部と、予め用意された前記セル固有のベーシックミッドアンブルコードを巡回シフトしながら相関をとることにより、遅延プロファイルを生成する遅延プロファイル生成工程と、前記ベーシックミッドアンブルコードの単位シフト量に対応する窓幅を有するユーザ窓で前記遅延プロファイルを区切って、各ユーザ窓に現れた所定値以上のピークを通信相手から送信された信号のパスとして当該パスの位置を検出するパス位置検出工程と、前記ミッドアンブル部を挟んで時分割多重された第１データ部と第２データ部のうち、前記ユーザ窓に現れたパス位置に応じた所定の部位を、前記ユーザ窓に対応するユーザに割り当てられたチャネライゼーションコードを用いて前記パス位置で逆拡散する逆拡散工程と、逆拡散されたデータシンボルのパワに基づいて、当該データ部を逆拡散したパスを有効なパスか否か判定する判定工程と、具備するようにした。
【００５２】
この方法によれば、ミッドアンブル部を挟んで時分割多重された第１データ部と第２データ部のうち、ユーザ窓に現れたパス位置に応じた所定の部位を、ユーザ窓に対応するユーザに割り当てられたチャネライゼーションコードを用いて前記パス位置で逆拡散し、逆拡散したデータシンボルのパワに基づいて、当該データ部を逆拡散したパスが有効なパスか否か判定することにより、各パスのユーザ判定を精度よく行うことができ、ユーザ判定の対象とするユーザのパスであるか窓越えしたパスであるか判別することができる。
【発明の効果】
【００５３】
以上説明したように、本発明によれば、遅延プロファイルを単位ミッドアンブルシフト量Ｗで区切ったユーザ窓を前後に所定チップ分拡大し、拡大した窓の前半分を先行窓、後半分を後方窓として、所定値以上のピークをパスとして検出し、先行窓で検出されたパス位置で逆拡散した第１データ部先頭の逆拡散結果と、後方窓で検出されたパス位置を用いた第２データ部最後尾の逆拡散結果とを受信状態に応じた単位当たりのパワで表し、それぞれ所定の閾値と閾値判定することにより、一つのユーザ窓内でデータ部の拡散符号長と等しい間隔の複数のパスが検出された場合でも、各パスのユーザ判定を精度よく行うことができ、ユーザ判定の対象とするユーザのパスであるか窓越えしたパスであるか判別することができる。
【発明を実施するための最良の形態】
【００５４】
以下、本発明の実施の形態について、図面を参照して詳細に説明する。
【００５５】
（実施の形態１）
図１は、本発明の実施の形態１に係る基地局装置の構成を示すブロック図である。この図において、無線部１０２は、アンテナ１０１を介して受信した無線周波数の信号（受信ＲＦ信号）をベースバンド信号帯にダウンコンバートし、直交検波する。Ａ／Ｄ変換部１０３は、無線部１０２から出力されたアナログ信号をディジタル信号（受信ＢＢ信号）に変換し、受信ＢＢ信号を相関演算部１０５、ユーザ判定部１０７及び復調部１０８に出力する。
【００５６】
パイロット符号系列生成部１０４は、セル固有のベーシックミッドアンブルコード（パイロット符号系列）を生成し、生成したベーシックミッドアンブルコードを相関演算部１０５に出力する。
【００５７】
相関演算部１０５は、パイロット符号系列生成部１０４から出力されたベーシックミッドアンブルコードをあるサンプリング周波数の時間間隔で巡回シフトしながら、Ａ／Ｄ変換部１０３から出力された受信ＢＢ信号との相関演算を所定の区間にわたって行う。この相関演算によって求められる相関値は、無線伝搬路における位相回転量及び振幅変動量を示すチャネル推定値そのものである。相関演算によって算出された相関値はユーザ判定部１０７に出力される。
【００５８】
チャネライゼーションコード生成部１０６は、移動局に固有のチャネライゼーションコードを生成し、生成したチャネライゼーションコードをユーザ判定部１０７及び復調部１０８に出力する。
【００５９】
ユーザ判定部１０７は、相関演算部１０５から出力された相関値に基づいて、遅延プロファイルを生成し、単位ミッドアンブルシフト量Ｗで区切った遅延プロファイルから所定値以上のピークをパスとして検出する。そして、ユーザ判定部１０７は、Ａ／Ｄ変換部１０３から出力された受信ＢＢ信号のデータ部のうちピークの現れた位置に応じた部分をチャネライゼーションコード生成部１０６から出力されたチャネライゼーションコードを用いて逆拡散する。さらに、ユーザ判定部１０７は、逆拡散後の信号のチップ当たりのパワと遅延プロファイルにおけるピークのチップ当たりのパワとのパワ比率を所定の閾値と比較し、いずれのユーザから送信された信号のパスか判定する。これをユーザ判定という。ユーザ判定されたパスのタイミング（パス位置）は、復調部１０８に通知される。ユーザ判定部１０７の詳細については後述する。
【００６０】
復調部１０８は、相関演算部１０５から出力された相関値、チャネライゼーションコード生成部１０６から出力されたチャネライゼーションコード及びユーザ判定部１０７から通知されたパス位置を用いて、Ａ／Ｄ変換部１０３から出力された受信ＢＢ信号のデータ部を復調し、復調結果を出力する。
【００６１】
図２は、本発明の実施の形態１に係るユーザ判定部１０７の内部構成を示すブロック図である。この図において、遅延プロファイル生成部２０１は、相関演算部１０５から出力された相関値の同相成分と直交成分の２乗和（相関値パワ）を所定の時間間隔で連続的に求め、遅延プロファイルを生成する。この遅延プロファイルを生成する区間は、ベーシックミッドアンブルコード長（3GPP TS25.221では１２８チップ）と等しい区間長となる。生成された遅延プロファイルはパス位置検出部２０２に出力される。
【００６２】
パス位置検出部２０２は、遅延プロファイル生成部２０１から出力された遅延プロファイルを単位ミッドアンブルシフト量Ｗに対応したユーザ窓に区切り、各ユーザ窓を前後ｔチップ分拡大し、さらに拡大した窓の前半分を先行窓、後半分を後方窓として、各先行窓及び各後方窓に現れる所定値以上のピークを当該窓に対応するユーザから送信された信号のパスとして検出する。検出されたパス位置は逆拡散部２０３及びパワ算出部２０４に出力され、検出されたパスの相関値パワがパワ算出部２０５に出力される。
【００６３】
逆拡散部２０３は、Ａ／Ｄ変換部１０３から出力された受信ＢＢ信号をパス位置検出部２０２から出力されたパス位置でチャネライゼーションコード生成部１０６から出力されたチャネライゼーションコードを用いて逆拡散を行う。具体的には、受信ＢＢ信号の１スロットがミッドアンブル部を挟んで第１データ部と第２データ部とで構成されており、相関演算部１０５で用いられたミッドアンブル部を含むスロットに着目する。先行窓で検出されたパス位置で逆拡散する場合は、当該先行窓に含まれるユーザ窓に対応するユーザに割り当てられたチャネライゼーションコードを用いて第１データ部先頭の所定チップ分を逆拡散する。一方、後方窓で検出されたパス位置で逆拡散する場合は、当該後方窓に含まれるユーザ窓に対応するユーザに割り当てられたチャネライゼーションコードを用いて第２データ部最後尾の所定チップ分を逆拡散する。ここで、逆拡散対象となるデータ部の所定チップ分とは、１シンボルに相当するチップ長であり、これは、チャネライゼーションコードの拡散率によって異なる。逆拡散部２０３で得られた結果はパワ算出部２０４に出力される。
【００６４】
パワ算出部２０４は、逆拡散部２０３から出力された第１データ部及び第２データ部の各１シンボル分の逆拡散結果からチップ当たりのパワＰｓを算出する。パワＰｓの具体的な算出方法は、逆拡散部２０３での逆拡散がデータ部の１シンボルに拡散率ＳＦのチャネライゼーションコードをチップ毎に乗算した結果を合計して行われるので、同相成分と直交成分の２乗和を拡散率ＳＦで除算することにより、チップ当たりのパワＰｓを算出する。算出したパワＰｓはパワ比率算出部２０６に出力される。
【００６５】
パワ算出部２０５は、パス位置検出部２０２でパスとして検出されたピークの相関値パワをベーシックミッドアンブルコード長で除算することにより、チップ当たりのパワＰｄを算出し、算出したパワＰｄをパワ比率算出部２０６に出力する。
【００６６】
パワ比率算出部２０６は、パワ算出部２０５から出力されたパワＰｄに対して、パワ算出部２０４から出力されたパワＰｓのパワ比率Ｐｓ／Ｐｄを算出する。これにより、パス毎の受信状態によってパワＰｓとパワＰｄの連動した変動を考慮する必要がなくなり、受信状態の影響を除くことができる。算出されたパワ比率Ｐｓ／Ｐｄを有効判定部２０７に出力される。
【００６７】
有効判定部２０７は、パワ比率算出部２０６から出力されたパワ比率Ｐｓ／Ｐｄと所定の閾値Ｔｈとの閾値判定を行い、閾値Ｔｈ以上であれば、検出されたパスはユーザ窓に対応するユーザから送信された信号のパス（有効パス）と判定し、閾値Ｔｈ未満であれば、検出されたパスはユーザ窓に対応するユーザから送信された信号のパスではない（無効パス）と判定する。なお、所定の閾値ＴｈはＳＩＲ（Signal to Interference Ratio）などの指標によって表される伝搬路の状況に基づいて変更することができる。有効判定部２０７で有効と判定されたパスのパス位置は復調部１０８に出力される。
【００６８】
次に、逆拡散部２０３での逆拡散対象について図面を用いて説明する。図３は、先行窓と後方窓で検出されたパス位置と逆拡散対象となるデータ部との関係を示す模式図である。この図が示すように、ユーザ窓は窓幅Ｗであり、ユーザ窓の前後にｔチップ分拡大し、拡大した窓の前半分を先行窓（窓幅Ｗ／２＋ｔ）とし、後半分を後方窓（窓幅Ｗ／２＋ｔ）としている。ここで、ユーザ窓の前後にｔチップ分拡大した理由は、ユーザ窓の境界付近のパスは、窓越えしたパスである可能性が高く、ユーザ窓Ｍに対応するパスであるか隣接するユーザ窓Ｍ−１、Ｍ＋１に対応するパスであるか確認する必要があるためである。
【００６９】
また、この図では、先行窓で検出されたパス位置と後方窓で検出されたパス位置とは、窓幅Ｗチップ分ずれている場合を示している。以下、先行窓及び後方窓で検出されたパスはいずれもユーザＭから送信された信号のパスと仮定し、それぞれ先行波のパス、遅延波のパスとして処理することとする。
【００７０】
先行波と遅延波はパス位置がＷチップずれているので、それぞれのスロット先頭もＷチップずれることになる。図３では、先行波の２シンボル目の先頭と遅延波の１シンボル目の先頭が同じタイミングとなった場合を示している。ここで、逆拡散部２０３が各パス位置を用いて、スロット先頭（第１データ部先頭）からユーザＭに割り当てられたチャネライゼーションコードで逆拡散を行うと、先行波と遅延波で互いに符号間干渉し、いずれのパス位置で逆拡散したのか判別できなくなってしまう。特に、先行波と遅延波のずれがデータ部の拡散符号長と等しい場合に大きな干渉となり、いずれの逆拡散結果であるか判別できなくなってしまう。
【００７１】
そこで、先行窓で検出されたパス位置で逆拡散する場合には、先行波の第１データ部先頭の１シンボルを逆拡散し、後方窓で検出されたパス位置で逆拡散する場合には、遅延波の第２データ部最後尾の１シンボルを逆拡散する。これにより、先行波の逆拡散対象と干渉する遅延波の部位はなくなり、また、遅延波の逆拡散対象と干渉する先行波の部位もなくなることから、いずれのパス位置を用いた逆拡散結果であるか判別することができる。
【００７２】
ここで、先行波と遅延波のずれがデータ部の拡散符号長と等しい場合に大きな干渉となる理由について説明する。データ部は、各移動局固有のチャネライゼーションコードとセル固有のスクランブリングコードが乗算されており、チャネライゼーションコードは拡散率が可変であり、スクランブリングコードは拡散率が固定（ここでは、１６倍とする）である。
【００７３】
図４は、チャネライゼーションコードの拡散率が１６倍の場合における符号パターンの説明に供する図である。この図では、チャネライゼーションコードの符号パターンを１〜１６として示しており、スクランブリングコードの符号パターンをＡ〜Ｐとして示している。チャネライゼーションコードとスクランブリングコードの乗算は、チャネライゼーションコードの符号パターン１〜１６とスクランブリングコードＡ〜Ｐをそれぞれ乗算することを意味する。例えば、チャネライゼーションコード（以下、「ＣＣ」と省略する）１とスクランブリングコード（以下、「ＳＣ」と省略する）Ａを乗算し、乗算後の拡散符号を（１，Ａ）で表す。同様に、ＣＣ２とＳＣＢを乗算し、拡散符号（２，Ｂ）を得る。このように、チャネライゼーションコードとスクランブリングコードを乗算することにより得られる符号パターンは（１，Ａ）〜（１６，Ｐ）の１６チップの繰り返しパターンとなる。この場合において、１シンボルの遅延が生じたとすると、チャネライゼーションコードの拡散率が１６倍なので、先行波と遅延波は１６チップずれることになり、先行波と遅延波の拡散符号系列（チャネライゼーションコードとスクランブリングコードの乗算後の符号系列）は、同じタイミングで同一となる。このため、先行波と遅延波は互いに大きな符号間干渉を及ぼし合う。
【００７４】
図５は、チャネライゼーションコードの拡散率が８倍の場合における符号パターンの説明に供する図である。この図では、チャネライゼーションコードの符号パターンを１〜８として示しており、スクランブリングコードの符号パターンをＡ〜Ｐとして示している。チャネライゼーションコードとスクランブリングコードを乗算することにより得られる符号パターンは（１，Ａ）〜（８，Ｈ）と（１，Ｉ）〜（８，Ｐ）の１６チップの繰り返しパターンとなる。この場合において、１シンボルの遅延が生じたとすると、チャネライゼーションコードの拡散率が８倍なので、先行波と遅延波は８チップずれることになり、先行波と遅延波の拡散符号系列は、同一のタイミングでも異なる拡散符号となる。例えば、先行波の拡散符号（１，Ｉ）と遅延波（１，Ａ）が同一のタイミングとなり、先行波と遅延波が互いに及ぼし合う干渉は小さくなる。しかしながら、２シンボルの遅延が生じたとすると、先行波と遅延波の拡散符号系列は、同じタイミングで同一となる。このため、先行波と遅延波は互いに大きな符号間干渉を及ぼし合う。
【００７５】
図６は、チャネライゼーションコードの拡散率が４倍の場合における符号パターンの説明に供する図である。この図では、チャネライゼーションコードの符号パターンを１〜４として示しており、スクランブリングコードの符号パターンをＡ〜Ｐとして示している。チャネライゼーションコードとスクランブリングコードを乗算することにより得られる符号パターンは（１，Ａ）〜（４，Ｄ）と、（１，Ｅ）〜（４，Ｈ）と、（１，Ｉ）〜（４，Ｌ）と、（１，Ｍ）〜（４，Ｐ）の１６チップの繰り返しパターンとなる。この場合において、１シンボルの遅延が生じたとすると、チャネライゼーションコードの拡散率が４倍なので、先行波と遅延波は４チップずれることになり、先行波と遅延波の拡散符号系列は、同一のタイミングでも異なる拡散符号となる。例えば、先行波の拡散符号（１，Ｅ）と遅延波（１，Ａ）が同一のタイミングとなり、先行波と遅延波が互いに及ぼし合う干渉は小さくなる。しかしながら、４シンボルの遅延が生じたとすると、先行波と遅延波の拡散符号系列は、同じタイミングで同一となる。このため、先行波と遅延波は互いに大きな符号間干渉を及ぼし合う。
【００７６】
このように、チャネライゼーションコードの拡散率が異なっても、先行波と遅延波で１６チップ（正確には、１６×Ｎチップ、ただしＮは正数）のずれがあると、先行波と遅延波が同一タイミングで同一の拡散符号となり、互いに大きな干渉を及ぼし合うので、このような場合でも、第１データ部先頭と第２データ部最後尾を逆拡散対象とすることにより、互いに大きな干渉を及ぼし合うことを回避することができる。
【００７７】
次に、ユーザ窓を先行窓と後方窓に分割した理由を説明する。ユーザ窓は、一般に窓幅Ｗ＝３２が実用的な窓幅であり、上述したように、一つのユーザ窓内で先行波と遅延波に１６チップのずれが生じることがある。このため、ユーザ窓を半分に分け、先行窓と後方窓とすることにより、先行窓内又は後方窓内で１６チップのずれがある先行波と遅延波のパスが現れることがなくなる。そして、先行窓で検出されたパス位置を用いたデータ部の逆拡散対象を第１データ部先頭の１シンボルとし、後方窓で検出されたパス位置を用いたデータ部の逆拡散対象を第２データ部最後尾の１シンボルとして指定することにより、先行波と遅延波に１６チップのずれが生じた場合でも、いずれのパス位置を用いた逆拡散結果であるか判別することができる。
【００７８】
ところが、ユーザ窓が窓幅Ｗ＝３２とＷ＝６４の場合では次のような問題を処理しなければならない。すなわち、ユーザ窓は前後にｔチップ分拡大しているので、ユーザ窓が窓幅Ｗ＝３２では、先行窓（又は後方窓）の窓幅は１６＋ｔとなり、ユーザ窓が窓幅Ｗ＝６４では、先行窓（又は後方窓）の窓幅は３２＋ｔとなり、いずれも一つの窓内で１６チップのずれがある先行波と遅延波を検出してしまう可能性がある。このため、図７に示すように、先行窓と後方窓の境界からそれぞれＢチップ分の領域を設け、この領域で検出されたパスは有効判定部２０７が無条件に有効パスと判定する。Ｂは、以下の式で定義される。
【００７９】
Ｂ＝（Ｗ−ＳＦｍａｘ×２）／２＋ｔ      ・・・（２）
なお、Ｗは窓幅、ＳＦｍａｘは拡散符号長を表している。このように、窓幅Ｗが３２や６４の場合、先行窓と後方窓の境界からそれぞれの窓にＢチップ分の領域で検出されたパスが窓越えしたパスであることはほとんどなく、当該ユーザ窓に対応するユーザから送信された信号のパスであると考えられるので、この領域で検出されたパスは無条件に有効パスと判定してもよい。
【００８０】
次に、ユーザ判定部１０７の動作について説明する。遅延プロファイル生成部２０１では、相関演算部１０５から出力された相関値の同相成分と直交成分の２乗和を所定の時間間隔で連続的に求め、遅延プロファイルが生成される。生成された遅延プロファイルはパス位置検出部２０２に出力される。
【００８１】
パス位置検出部２０２では、先行窓と後方窓に現れた所定値以上のピークを当該窓に対応するユーザから送信された信号のパスとして検出する。ここで、先行窓で検出されたパスをパスＰｔｈ１とし、後方窓で検出されたパスをパスＰｔｈ２とする。
【００８２】
逆拡散部２０３では、先行窓で検出されたパスＰｔｈ１のパス位置で逆拡散する場合は、当該先行窓に含まれるユーザ窓に対応するユーザに割り当てられたチャネライゼーションコードを用いて第１データ部先頭の１シンボル分を逆拡散する。一方、後方窓で検出されたパスＰｔｈ２のパス位置で逆拡散する場合は、当該後方窓に含まれるユーザ窓に対応するユーザに割り当てられたチャネライゼーションコードを用いて第２データ部最後尾の１シンボル分を逆拡散する。
【００８３】
パワ算出部２０４では、逆拡散部２０３から出力された第１データ部及び第２データ部の各１シンボル分の逆拡散結果からチップ当たりのパワＰｓが算出され、パワ算出部２０５では、パスＰｔｈ１及びパスＰｔｈ２の相関値パワをベーシックミッドアンブルコード長で除算することにより、チップ当たりのパワＰｄが算出される。
【００８４】
パワ比率算出部２０６では、先行窓で検出されたパスＰｔｈ１について、遅延プロファイルの相関値パワから算出されたチップ当たりのパワＰｄに対する第１データ部の逆拡散後パワＰｓのパワ比率Ｐｓ／Ｐｄが算出される。また、後方窓で検出されたパスＰｔｈ２について、遅延プロファイルの受信電力から算出されたチップ当たりのパワＰｄに対する第２データ部の逆拡散後パワＰｓのパワ比率Ｐｓ／Ｐｄが算出される。
【００８５】
有効判定部２０７では、パワ比率算出部２０６から出力されたパスＰｔｈ１についてのパワ比率Ｐｓ／Ｐｄと所定の閾値Ｔｈとの閾値判定が行われ、Ｐｓ／Ｐｄが閾値Ｔｈ以上であれば、パスＰｔｈ１はユーザＭから送信された信号のパスである（有効パス）と判定し、Ｐｓ／Ｐｄが閾値Ｔｈ未満であれば、ユーザＭから送信された信号のパスではない（無効パス）と判定する。同様に、パワ比率算出部２０６から出力されたパスＰｔｈ２についてのパワ比率Ｐｓ／Ｐｄから有効パスであるか否かの判定が行われる。ここで、パスＰｔｈ１をユーザＭから送信された信号のパスとし、パスＰｔｈ２をユーザＭ＋１から送信された信号のパスとする。すなわち、パスＰｔｈ２を遅延波のパスではないものとすると、パスＰｔｈ１については有効パスと判定され、パスＰｔｈ２については無効パスと判定される。これは、パスＰｔｈ２はユーザＭ＋１から送信された信号のパスであるので、パスＰｔｈ２のパス位置を用いて第２データ部をユーザＭのチャネライゼーションコードで逆拡散しても、第２データ部の拡散符号系列とユーザＭのチャネライゼーションコードとの相関が低く、逆拡散後のパワＰｓが低くなり、パワ比率Ｐｓ／Ｐｄが閾値Ｔｈ未満となるからである。
【００８６】
パスＰｔｈ２は、ユーザ窓を後方にｔチップ拡大した領域で検出されているので、隣接するユーザ窓Ｍ＋１の先行窓で検出され、ユーザ窓Ｍについて行われた処理と同様の処理が行われ、パスＰｔｈ２はユーザＭ＋１から送信された信号のパスである（有効パス）と判定される。
【００８７】
このように本実施の形態によれば、遅延プロファイルを単位ミッドアンブルシフト量Ｗで区切ったユーザ窓を前後に所定チップ分拡大し、拡大した窓の前半分を先行窓、後半分を後方窓として、所定値以上のピークをパスとして検出し、先行窓で検出されたパス位置で逆拡散した第１データ部先頭の逆拡散結果と、後方窓で検出されたパス位置を用いた第２データ部最後尾の逆拡散結果とを受信状態に応じた単位当たりのパワで表し、それぞれ所定の閾値と閾値判定することにより、一つのユーザ窓内で１６チップ間隔の複数のパスが検出された場合でも、各パスのユーザ判定を精度よく行うことができ、ユーザ判定の対象とするユーザのパスであるか窓越えしたパスであるか判別することができる。
【００８８】
（実施の形態２）
実施の形態１では、ユーザ判定を行う際に、先行窓で検出されたパス位置で逆拡散する対象を第１データ部先頭の１シンボルのみとし、後方窓で検出されたパス位置で逆拡散する対象を第２データ部最後尾の１シンボルのみとした場合について説明したが、本発明の実施の形態２では、各窓で検出されたパス位置で逆拡散する対象を複数シンボルとした場合について説明する。
【００８９】
ただし、本発明の実施の形態２に係る基地局装置の構成は実施の形態１で示した図１及び図２と同一の構成なので、図１及び図２を援用し、その詳しい説明は省略する。
【００９０】
図８は、先行窓と後方窓で検出されたパス位置と逆拡散対象となるデータ部との関係を示す模式図である。この図が示すように、逆拡散部２０３は、先行窓で検出されたパス位置を用いて第１データ部先頭の１シンボルと第２データ部先頭の１シンボルとを逆拡散する。また、逆拡散部２０３は、後方窓で検出されたパス位置を用いて第１データ部最後尾の１シンボルと第２データ部最後尾の１シンボルとを逆拡散する。
【００９１】
ここで、実施の形態１とは異なり、先行窓で検出されたパス位置で逆拡散する対象を第２データ部先頭の１シンボルも追加したのは、このシンボルと同一のタイミングとなる遅延波はミッドアンブル部となる。データ部とミッドアンブル部は相関が低いのでお互いに強く干渉し合うことはない。同様に、後方窓で検出されたパス位置で逆拡散する対象を第第１データ部最後尾の１シンボルも追加したのは、このシンボルと同一のタイミングとなる先行波はミッドアンブル部となるからである。
【００９２】
パワ算出部２０４は、先行窓で検出されたパス位置で逆拡散した第１データ部先頭及び第２データ部先頭の各１シンボルの逆拡散結果からチップ当たりのパワを算出し、算出したパワを加算してパワＰｓを得る。これにより、シンボル利得が向上するため、ノイズを低減することができる。この結果、有効パスの判定（ユーザ判定）を精度よく行うことができる。
【００９３】
このように本実施の形態によれば、先行窓で検出されたパス位置で逆拡散する対象を第１データ部先頭と第２データ部先頭の各１シンボルとし、後方窓で検出されたパス位置で逆拡散する対象を第１データ部最後尾と第２データ部最後尾の各１シンボルとして、ユーザ判定を行うことにより、シンボル利得が向上し、ノイズを低減することができるため、ユーザ判定を精度よく行うことができる。
【００９４】
なお、第１データ部最後尾の１シンボルと第２データ部先頭の１シンボルを逆拡散対象とするか否かを、シンボルの精度を示すＳＩＲなどの受信品質に基づいて判断するようにしてもよい。
【００９５】
（実施の形態３）
実施の形態１及び２では、ユーザ判定を各パスにおけるパワ比率が所定の閾値を越えるか否かで行っていたが、本発明の実施の形態３では、ユーザ判定を各パスにおけるパワ比率に応じた重みで表す場合について説明する。
【００９６】
図９は、本発明の実施の形態３に係る基地局装置の構成を示すブロック図である。ただし、図９が図１と共通する部分は図１と同一の符号を付し、その詳しい説明は省略する。図９が図１と異なる点は、ユーザ判定部１０７をユーザ判定部９０１に、復調部１０８を復調部９０２にそれぞれ変更したことである。
【００９７】
ユーザ判定部９０１は、相関演算部１０５から出力された相関値に基づいて、遅延プロファイルを生成し、単位ミッドアンブルシフト量Ｗで区切った遅延プロファイルから所定値以上のピークをパスとして検出する。そして、ユーザ判定部９０１は、Ａ／Ｄ変換部１０３から出力された受信ＢＢ信号のデータ部のうちピークの現れた位置に応じた部分をチャネライゼーションコード生成部１０６から出力されたチャネライゼーションコードを用いて逆拡散する。さらに、ユーザ判定部９０１は、逆拡散後の信号のチップ当たりのパワと遅延プロファイルにおけるピークのチップ当たりのパワとのパワ比率を算出し、算出したパワ比率を復調部９０２に出力する。また、検出されたパス位置も復調部９０２に出力される。
【００９８】
復調部９０２は、相関演算部１０５から出力されたチャネル推定値（相関値）にユーザ判定部９０１から出力されたパワ比率を変換した重みを付ける。また、ユーザ判定部９０１から出力されたパス位置及びチャネライゼーションコード生成部１０６から出力されたチャネライゼーションコードを用いて、Ａ／Ｄ変換部１０３から出力された受信ＢＢ信号のデータ部を逆拡散する。重み付けされたチャネル推定値を用いて、逆拡散されたデータ部をＲＡＫＥ合成し、ＪＤ（Joint Detection）演算を行って、復調結果を出力する。
【００９９】
図１０は、本発明の実施の形態３に係るユーザ判定部９０１の内部構成を示すブロック図である。ただし、図１０が図２と共通する部分は図２と同一の符号を付し、その詳しい説明は省略する。図１０が図２と異なる点は、有効判定部２０７を削除した点である。
【０１００】
パワ比率算出部２０６は、パワ算出部２０５で算出されたパワＰｄに対するパワ算出部２０４で算出されたパワＰｓのパワ比率Ｐｓ／Ｐｄを復調部９０２に出力する。
【０１０１】
図１１は、本発明の実施の形態３に係る復調部９０２の内部構成を示すブロック図である。この図において、重み変換部１１０１は、ユーザ判定部９０１から出力されたパワ比率を重みに変換し、重みを乗算部１１０２に出力する。なお、重み変換部１１０１は、予めパワ比率と重みとによって定義される関数を有しており、この関数によってパワ比率が重みに変換される。
【０１０２】
乗算部１１０２では、相関演算部１０５から出力されたチャネル推定値に重み変換部１１０１から出力された重みが乗算され、重み付け後のチャネル推定値がＲＡＫＥ合成部１１０４及びＪＤ演算部１１０５に出力される。
【０１０３】
逆拡散部１１０３は、ユーザ判定部９０１から出力されたパス位置でチャネライゼーションコードを用いて受信ＢＢ信号のデータ部を逆拡散し、逆拡散後の信号をＲＡＫＥ合成部１１０４に出力する。
【０１０４】
ＲＡＫＥ合成部１１０４は、パス毎に重み付け後のチャネル推定値と逆拡散後の信号を乗算し、乗算結果をＲＡＫＥ合成する。ＲＡＫＥ合成結果はＪＤ演算部１１０５に出力される。ＪＤ演算部１１０５は、移動局毎のパス検出結果と、チャネライゼーションコードとの畳み込み演算結果を行列配置したシステムマトリクスを用いて所定の行列演算を行い、その行列演算結果を逆拡散されたデータ部に乗算することにより、干渉を除去した復調結果を出力する。
【０１０５】
次に、重み変換部１１０１が有するパワ比率と重みとによって定義される関数について説明する。図１２は、重み変換部１１０１が有する関数を示す図であり、この図において、重みが１．０は、実施の形態１で説明した有効パスに相当し、重みが０は、実施の形態１で説明した無効パスに相当する。図１２（ａ）は、パワ比率と重みが比例関係にある関数を示している。すなわち、この図に示す関数を用いる場合、パワ比率の値がそのまま重みとなる。これは、受信状態が良好な場合に適している。また、図１２（ｂ）は、閾値付近で急激な傾きとなる関数を示している。この図では、パワ比率１．０から閾値（例えば、パワ比率０．８）までは、重みがほぼ１．０となり、閾値未満では、重みが急激に低下している。これは、受信状態が劣悪な場合に適している。重み変換部１１０１は、図１２（ａ）に示す関数と図１２（ｂ）に示す関数のいずれかを有していてもよいし、いずれの関数も有した上で任意の関数を用いてもよい。さらに、２つの関数を受信状態に応じて切り替えて用いてもよい。
【０１０６】
なお、重み変換部１１０１は、窓幅Ｗ＝３２及びＷ＝６４の場合のように、窓幅Ｗが拡散符号長ＳＦｍａｘの２倍以上となる場合、先行窓及び後方窓の境界からＢチップ分の領域を設け、この領域で検出されたパスは、無条件に重みを１．０とする。
【０１０７】
このように本実施の形態によれば、ユーザ判定をパワ比率に応じた重みで表すことにより、ユーザ判定の対象とするユーザ窓に対応するユーザからのパスについては重み付けの値が大きくなり、窓越えしたパスについては重み付けの値が小さくなり、これらの重み付けを反映してパス毎に逆拡散したデータ部の信号をＲＡＫＥ合成することにより、復調精度を向上させることができる。
【０１０８】
なお、ＲＡＫＥ合成の方法は、図１３に示すように、フィンガ毎（パス毎）にチャネル推定値に重み付けを行って、重み付け後のチャネル推定値を逆拡散値に乗算して、フィンガ＃１〜＃Ｎについて合成してもよいし、図１４に示すように、フィンガ毎に逆拡散値にチャネル推定値を乗算し、この乗算結果に重み付けを行って、フィンガ＃１〜＃Ｎについて合成してもよい。
【０１０９】
（他の実施の形態）
本発明の他の実施の形態に係る基地局装置の構成は図１及び図２と同様なので、図１及び図２を援用して説明する。ユーザ窓の境界から前後ｔチップ分の領域で検出されたパスは、それぞれのユーザ窓毎にユーザ判定が行われるが、一方のユーザ窓について求められたパワ比率と他方のユーザ窓について求められたパワ比率とがいずれも所定の閾値未満であり、無効パスであった場合、有効判定部２０７は、これらのパワ比率の大小比較を行い、パワ比率の大きい方のユーザのパスと判定する。
【０１１０】
これにより、隣接するユーザ窓との境界付近で検出されたパスは窓越えしたパスである可能性が高いが、窓越えしたパスであっても確実にユーザ判定することができる。
【０１１１】
なお、双方のユーザ窓について求められたパワ比率と所定の閾値との比較を行わずに、双方のパワ比率の大小比較を行い、パワ比率の大きい方のユーザのパスと判定するようにしてもよい。
【０１１２】
なお、上述した各実施の形態では、基地局装置がユーザ判定を行う場合について説明したが、本発明はこれに限らず、移動局装置がユーザ判定を行ってもよい。
【産業上の利用可能性】
【０１１３】
本願発明にかかる無線受信装置及び無線受信方法は、パス検出結果に基づいて受信信号から干渉成分を除去する基地局装置に適用することができる。
【図面の簡単な説明】
【０１１４】
【図１】本発明の実施の形態１、２及び他の実施の形態に係る基地局装置の構成を示すブロック図
【図２】本発明の実施の形態１、２及び他の実施の形態に係るユーザ判定部の内部構成を示すブロック図
【図３】先行窓と後方窓で検出されたパス位置と逆拡散対象となるデータ部との関係を示す模式図
【図４】チャネライゼーションコードの拡散率が１６倍の場合における符号パターンの説明に供する図
【図５】チャネライゼーションコードの拡散率が８倍の場合における符号パターンの説明に供する図
【図６】チャネライゼーションコードの拡散率が４倍の場合における符号パターンの説明に供する図
【図７】窓幅がデータ部の拡散符号長の２倍以上となる場合の先行窓と後方窓とを示す図
【図８】先行窓と後方窓で検出されたパス位置と逆拡散対象となるデータ部との関係を示す模式図
【図９】本発明の実施の形態３に係る基地局装置の構成を示すブロック図
【図１０】本発明の実施の形態３に係るユーザ判定部の内部構成を示すブロック図
【図１１】本発明の実施の形態３に係る復調部の内部構成を示すブロック図
【図１２】重み変換部が有する関数を示す図
【図１３】ＲＡＫＥ合成の方法を示す図
【図１４】ＲＡＫＥ合成の方法を示す図
【図１５】干渉除去装置を備えた基地局を含む移動体通信システムの様子を示す図
【図１６】ＴＤ−ＳＣＤＭＡ方式のフレームフォーマット及びスロットフォーマットの構成を示す図
【図１７】基地局ＢＳによるミッドアンブルコードの生成方法を示す模式図
【図１８】基地局で生成される遅延プロファイルとユーザ窓の説明に供する図
【図１９】基地局で生成されるパス限定後の遅延プロファイルを示す図
【符号の説明】
【０１１５】
１０１  アンテナ
１０２  無線部
１０３  Ａ／Ｄ変換部
１０４  パイロット符号系列生成部
１０５  相関演算部
１０６  チャネライゼーションコード生成部
１０７、９０１  ユーザ判定部
１０８、９０２  復調部
２０１  遅延プロファイル生成部
２０２  パス位置検出部
２０３、１１０３  逆拡散部
２０４、２０５  パワ算出部
２０６  パワ比率算出部
２０７  有効判定部
１１０１  重み変換部
１１０２  乗算部
１１０４  ＲＡＫＥ合成部
１１０５  ＪＤ演算部
【図１】
2005311914.tif 000004
【図２】
2005311914.tif 000005
【図３】
2005311914.tif 000006
【図４】
2005311914.tif 000007
【図５】
2005311914.tif 000008
【図６】
2005311914.tif 000009
【図７】
2005311914.tif 000010
【図８】
2005311914.tif 000011
【図９】
2005311914.tif 000012
【図１０】
2005311914.tif 000013
【図１１】
2005311914.tif 000014
【図１２】
2005311914.tif 000015
【図１３】
2005311914.tif 000016
【図１４】
2005311914.tif 000017
【図１５】
2005311914.tif 000018
【図１６】
2005311914.tif 000019
【図１７】
2005311914.tif 000020
【図１８】
2005311914.tif 000021
【図１９】
2005311914.tif 000022